(57)【要約】【課題】梱包箱の閉蓋部を破断することなく容易に開放することできると共に、閉蓋部の再度の閉止固定を粘着テープやステープル等の封緘材を使用せずに容易且つ確実に行えるものとした梱包箱の開口部閉止構造を提供する。【解決手段】梱包箱１の開口部を閉蓋するよう一対の側辺側フラップ部４と一対の端辺側フラップ部５とを備え、側辺側フラップ部４の縁端部もしくは縁端部に形成された切り欠き部６に、端辺側フラップ部５に切込み状もしくは突起状に形成された係合片部７を差込みもしくは噛合わせて再封緘可能となるように閉止固定するものとした梱包箱の開口部閉止構造であって、切り欠き部６は、一方の側辺側フラップ部４の縁端部片寄り側にＶ溝もしくはＵ溝となって形成され、係合片部７は、側辺側フラップ部４の下面側から前記切り欠き部６を介して側辺側フラップ部４の上面側に延出するよう当該切り欠き部６に対応して端辺側フラップ部５の縁端部片寄り側に形成された切込みによって形成されている。【選択図】図１
0003117276.tif 000002
【実用新案登録請求の範囲】
【請求項１】
梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、一方の側辺側フラップ部の縁端部片寄り側にＶ溝もしくはＵ溝となって形成され、係合片部は、側辺側フラップ部の下面側から前記切り欠き部を介して側辺側フラップ部の上面側に延出するよう当該切り欠き部に対応して端辺側フラップ部の縁端部片寄り側に形成された切込みによって形成されていることを特徴とした梱包箱の開口部閉止構造。
【請求項２】
梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、一方の側辺側フラップ部の縁端部片寄り側に三角形状に切断された切除部となって形成され、係合片部は、側辺側フラップ部の切り欠き部に対応して端辺側フラップ部の縁端部の片側角部を三角形状に折り曲げ可能とした筋部によって形成されていることを特徴とした梱包箱の開口部閉止構造。
【請求項３】
梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、双方の側辺側フラップ部の左右両側に直線からＶ溝もしくはＵ溝を介して円弧状に連なるように切断された切除部となって形成され、係合片部は、双方の側辺側フラップ部の下面側から前記切り欠き部を介して側辺側フラップ部の上面側に延出するよう当該切り欠き部に対応して端辺側フラップ部の縁端部中央を半円弧状の突起によって形成されていることを特徴とした梱包箱の開口部閉止構造。
【請求項４】
前記双方の側辺側フラップ部の根元部分には、直線状の筋部を施してある請求項３記載の梱包箱の開口部閉止構造。
【請求項５】
梱包箱の開口部を閉蓋するよう一対の側辺側フラップ部と一対の端辺側フラップ部とを備え、側辺側フラップ部の縁端部に、端辺側フラップ部に切込み状もしくは突起状に形成された係合片部を差込みもしくは噛合わせて再封緘可能となるように閉止固定するものとした梱包箱の開口部閉止構造であって、係合片部は、双方の端辺側フラップ部が重なった際に当該端辺側フラップ部相互間で露出された一方の側辺側フラップ部の縁端部の下面側に、他方の側辺側フラップ部の根元部分に形成された筋部を介して折り曲げ、スライドさせながら差し込まれるよう当該他方の側辺側フラップ部に形成された突起によって形成されていることを特徴とした梱包箱の開口部閉止構造。
【請求項６】
一方の側辺側フラップ部への重なり部分側における双方の端辺側フラップ部の角部は三角形状に切除され、且つ他方の側辺側フラップ部中央の係合片部から左右両側にかけて傾斜状に切除されている請求項５記載の梱包箱の開口部閉止構造。
【請求項７】
梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、一方の側辺側フラップ部の縁端部における左右両側にクサビ状またはＶ字状またはＵ字状のいずれかに切除された溝部によって形成され、第１の係合片部が、側辺側フラップ部のＶ字切り欠き部に対応して端辺側フラップ部の角部を三角形状に切除し且つ切除上端側に半円弧状の突起を突設することによって形成され、第２の係合片部が、双方の端辺側フラップ部の上に重ねられる他方の側辺側フラップ部の縁端部中央に形成されていることを特徴とした梱包箱の開口部閉止構造。
【請求項８】
第２の係合片部には、他方の側辺側フラップ部を容易に開封可能にさせるＵ字切り欠き状の指掛け部を設けた請求項７記載の梱包箱の開口部閉止構造。
【請求項９】
梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、双方の側辺側フラップ部の縁端部における左右両側の対向位置それぞれに略Ｌ状に切除された溝部によって形成され、係合片部は、双方の側辺側フラップ部の下面側から前記切り欠き部を介して側辺側フラップ部の上面側に延出するよう当該切り欠き部に対応して端辺側フラップ部の縁端部中央に形成された突起によって形成されていることを特徴とした梱包箱の開口部閉止構造。
【請求項１０】
係合片部における突起の左右両側は、円弧状に切除されている請求項９記載の梱包箱の開口部閉止構造。
【考案の詳細な説明】
【技術分野】
【０００１】
本考案は、例えば、段ボール箱等の梱包箱の開口部を閉蓋するためのフラップ部を備え、該フラップ部による閉蓋固定を簡易で且つ確実なものとした梱包箱の開口部閉止構造に関するものである。
【背景技術】
【０００２】
従来、梱包箱の開口部に延設されているフラップ部を閉蓋固定する場合には、閉塞した左右フラップ部の端縁部同士に跨って、封緘材として、例えば、粘着テープを貼着したり、ステープル等を突き刺したりして固定される。
【特許文献１】特になし
【考案の開示】
【考案が解決しようとする課題】
【０００３】
しかしながら、梱包箱のフラップ部で閉蓋されている開口部を開放させるためには、上記した封緘材を強制的に剥がす必要があり、フラップ部の破断は避けられないものとなるため、フラップ部による開口部の再度の閉止固定が困難であった。
【０００４】
そこで、本考案は如上のような従来存した諸事情に鑑み創案されたもので、梱包箱の閉蓋部を破断することなく容易に開放することできると共に、閉蓋部の再度の閉止固定を粘着テープやステープル等の封緘材を使用せずに容易且つ確実に行えるものとした梱包箱の開口部閉止構造を提供することを目的とする。
【課題を解決するための手段】
【０００５】
上述した目的を達成するため、本考案にあっては、梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、一方の側辺側フラップ部の縁端部片寄り側にＶ溝もしくはＵ溝となって形成され、係合片部は、側辺側フラップ部の下面側から前記切り欠き部を介して側辺側フラップ部の上面側に延出するよう当該切り欠き部に対応して端辺側フラップ部の縁端部片寄り側に形成された切込みによって形成されていることで、上述した課題を解決した。
【０００６】
さらに、梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、一方の側辺側フラップ部の縁端部片寄り側に三角形状に切断された切除部となって形成され、係合片部は、側辺側フラップ部の切り欠き部に対応して端辺側フラップ部の縁端部の片側角部を三角形状に折り曲げ可能とした筋部によって形成されていることで、同じく上述した課題を解決した。
【０００７】
また、梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、双方の側辺側フラップ部の左右両側に直線からＶ溝もしくはＵ溝を介して円弧状に連なるように切断された切除部となって形成され、係合片部は、双方の側辺側フラップ部の下面側から前記切り欠き部を介して側辺側フラップ部の上面側に延出するよう当該切り欠き部に対応して端辺側フラップ部の縁端部中央を半円弧状の突起によって形成されていることで、同じく上述した課題を解決した。
【０００８】
加えて、前記双方の側辺側フラップ部の根元部分には、直線状の筋部を施してあることで、同じく上述した課題を解決した。
【０００９】
また、梱包箱の開口部を閉蓋するよう一対の側辺側フラップ部と一対の端辺側フラップ部とを備え、側辺側フラップ部の縁端部に、端辺側フラップ部に切込み状もしくは突起状に形成された係合片部を差込みもしくは噛合わせて再封緘可能となるように閉止固定するものとした梱包箱の開口部閉止構造であって、係合片部は、双方の端辺側フラップ部が重なった際に当該端辺側フラップ部相互間で露出された一方の側辺側フラップ部の縁端部の下面側に、他方の側辺側フラップ部の根元部分に形成された筋部を介して折り曲げ、スライドさせながら差し込まれるよう当該他方の側辺側フラップ部に形成された突起によって形成されていることで、同じく上述した課題を解決した。
【００１０】
この他、一方の側辺側フラップ部への重なり部分側における双方の端辺側フラップ部の角部は三角形状に切除され、且つ他方の側辺側フラップ部中央の係合片部から左右両側にかけて傾斜状に切除されていることで、同じく上述した課題を解決した。
【００１１】
また、梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、一方の側辺側フラップ部の縁端部における左右両側にクサビ状またはＶ字状またはＵ字状のいずれかに切除された溝部によって形成され、第１の係合片部が、側辺側フラップ部のＶ字切り欠き部に対応して端辺側フラップ部の角部を三角形状に切除し且つ切除上端側に半円弧状の突起を突設することによって形成され、第２の係合片部が、双方の端辺側フラップ部の上に重ねられる他方の側辺側フラップ部の縁端部中央に形成されていることで、同じく上述した課題を解決した。
【００１２】
さらに、第２の係合片部には、他方の側辺側フラップ部を容易に開封可能にさせるＵ字切り欠き状の指掛け部を設けたことで、同じく上述した課題を解決した。
【００１３】
また、梱包箱の開口部を閉蓋するよう一対の側辺側フラップ部と一対の端辺側フラップ部とを備え、側辺側フラップ部の縁端部もしくは縁端部に形成された切り欠き部に、端辺側フラップ部に切込み状もしくは突起状に形成された係合片部を差込みもしくは噛合わせて再封緘可能となるように閉止固定するものとした梱包箱の開口部閉止構造であって、切り欠き部は、双方の側辺側フラップ部の縁端部における左右両側の対向位置それぞれに略Ｌ状に切除された溝部によって形成され、係合片部は、双方の側辺側フラップ部の下面側から前記切り欠き部を介して側辺側フラップ部の上面側に延出するよう当該切り欠き部に対応して端辺側フラップ部の縁端部中央に形成された突起によって形成されていることで、同じく上述した課題を解決した。
【００１４】
加えて、係合片部における突起の左右両側は、円弧状に切除されていることで、同じく上述した課題を解決した。
【考案の効果】
【００１５】
本考案によれば、梱包箱の閉蓋部を破断することなく容易に開放することができると共に、閉蓋部の再度の閉止固定を粘着テープやステープル等の封緘材を使用せずに容易且つ確実に行うことができる。
【００１６】
さらに、本考案の請求項１乃至１０に記載した具体的な構成に基づき、側辺側フラップ部の縁端部もしくは縁端部に形成された切り欠き部に、端辺側フラップ部に切込み状もしくは突起状に形成された係合片部を差込みもしくは噛合わせて再封緘可能となるようにして閉止固定したので、本考案に係る梱包箱の開口部閉止構造を容易且つ安価に作製することができる。
【考案を実施するための最良の形態】
【００１７】
以下に、本考案を実施するための最良の形態を、図面を参照して説明する。
【００１８】
図に示される符号１は、例えば、段ボール箱等の梱包箱である。この梱包箱１は、図１に示すように、相対向する側辺側胴板２Ａ，２Ｂの各端部から延設して対向配置させた一対の矩形板状の側辺側フラップ部４と、相対向する端辺側胴板３Ａ，３Ｂの各端部から延設して対向配置させた一対の矩形板状の端辺側フラップ部５とによって梱包箱１の、例えば、蓋側の開口部を閉蓋すると共に、側辺側フラップ部４の縁端部もしくは縁端部に形成された例えばＶ字状の切り欠き部６に、端辺側フラップ部５に切込み状もしくは突起状に形成された係合片部７を差込んで閉止固定するようにしてある。
【００１９】
具体的には、図２の展開図に示すように、梱包箱１は、共に矩形板状を呈する第１の側辺側胴板２Ａ、第１の端辺側胴板３Ａ、第２の側辺側胴板２Ｂ、第２の端辺側胴板３Ｂそれぞれの順に連設され、第１の側辺側胴板２Ａの右側端部には、第２の端辺側胴板３Ｂの左側端部の内面に貼着されることで矩形環状に連結するための糊代部８を形成してある。そして、相対向する側辺側胴板２Ａ，２Ｂの上側端部からは矩形板状の側辺側フラップ部４が延設され、相対向する端辺側胴板３Ａ，３Ｂの上側端部からは矩形板状の端辺側フラップ部５が延設されている。
【００２０】
このうち第１の側辺側胴板２Ａの上側端部に延設された側辺側フラップ部４の左寄り側には、縁端部から略中央に至るまで次第に細くなる細長な台形状もしくはＶ字状の縦溝となった切り欠き部６が形成されている。尚、切り欠き部６は、Ｕ字状の溝であっても良い。また、これに対応して第１の端辺側胴板３Ａの上側端部に延設された端辺側フラップ部５の右寄り側には、縁端部から略中央に至るまで若干傾斜した切込みを介して係合片部７が形成されることにより、側辺側フラップ部４の下面側から前記Ｖ字切り欠き部６を介して側辺側フラップ部４の上面側に係合片部７を延出させることで蓋側の開口部における両フラップ部４，５が閉止固定されるものとしてある。
【００２１】
尚、係合片部７の切込み端部位置から横方向に沿って、当該係合片部７の折込みが容易となるよう鎖線状の筋部９を形成してある。
【００２２】
また、相対向する側辺側胴板２Ａ，２Ｂの下側端部からは矩形板状の側辺側フラップ部４が延設され、相対向する端辺側胴板３Ａ，３Ｂの下側端部からは矩形板状の端辺側フラップ部５が延設されると共に、双方の側辺側フラップ部４内側の左右対称箇所には略Ｖ字形スリット状の切り欠き部６を設け、この切り欠き部６それぞれに差込可能となるよう双方の端辺側フラップ部５の縁端部から内側にかけて略ハの字型状の切込みを介して左右一対の係合片部７が形成されている。これによって、底側の開口部が閉止固定されるようにしてある。尚、切り欠き部６の形状は、Ｖ字形以外にＵ字形もしくはクサビ形等であっても良い。
【００２３】
次に、以上のように構成された本考案の最良の形態について、使用・組立の一例を説明する。
【００２４】
まず、図１（ａ）に示すように、第２の端辺側胴板３Ｂにおける端辺側フラップ部５を内側に折り曲げてから、第２の側辺側胴板２Ｂにおける側辺側フラップ部４を内側に折り曲げる。また、第１の端辺側胴板３Ａにおける端辺側フラップ部５を内側に折り曲げてから、第１の端辺側胴板３Ａにおける端辺側フラップ部５の係合片部７を筋部９を介して起立させ（図１（ｂ）参照）、第１の側辺側胴板２Ａにおける側辺側フラップ部４を折り曲げる。このとき、側辺側フラップ部４の切り欠き部６に、起立している係合片部７を通すようにして折り曲げる（図１（ｃ）参照）。そして、図１（ｄ）に示すように、係合片部７を筋部９を介して横に倒して側辺側フラップ部４の上面に折り重なることで蓋側の開口部における両フラップ部４，５が閉止固定されるものである。
【００２５】
また、底側の開口部を閉止固定する場合には、相対向する側辺側胴板２Ａ，２Ｂの下側端部の側辺側フラップ部４を同時に内側に折り曲げて閉塞させ、相対向する端辺側胴板３Ａ，３Ｂを同時に内側に折り曲げてから、左右一対の係合片部７を対応する切り欠き部６それぞれに差込めば良い。
【００２６】
図３・図４には、本実施の形態における他の例が示されている。尚、本例において、前記した構成部分と同じ箇所には同じ符号を附することでその説明を省略する。
【００２７】
すなわち、本例では、切り欠き部６は、一方の側辺側フラップ部４の縁端部片寄り側に三角形状に切断された切除部となって形成されている。また、係合片部７は、側辺側フラップ部４の切り欠き部６に対応して端辺側フラップ部５の縁端部の片側角部を三角形状に折り曲げ可能とした筋部９によって形成され、最初に端辺側胴板３Ａにおける端辺側フラップ部５を折り曲げ（図３（ａ）参照）、次に側辺側胴板２Ｂにおける側辺側フラップ部４を折り曲げ（図３（ｂ）参照）、次に端辺側胴板３Ｂにおける端辺側フラップ部５を折り曲げて（図３（ｃ）参照）、係合片部７を、筋部９を利用して外側の方向に起立させ（図３（ｄ）参照）、側辺側胴板２Ａにおける側辺側フラップ部４を折り曲げ（図３（ｅ）参照）、起立している係合片部７を側辺側フラップ部４の上面に折り重なる（図３（ｆ）参照）ことで、蓋側の開口部における両フラップ部４，５が閉止固定されるものである。
【００２８】
同様に、図５・図６には、本実施の形態における他の例が示されている。尚、本例において、前記した構成部分と同じ箇所には同じ符号を附することでその説明を省略する。
【００２９】
すなわち、本例では、切り欠き部６は、双方の側辺側フラップ部４の左右両側に直線からＶ溝を介して円弧状に連なるように切断された切除部となって形成されている。また、係合片部７は、双方の側辺側フラップ部４の下面側から前記切り欠き部６を介して側辺側フラップ部４の上面側に延出するよう当該切り欠き部６に対応して端辺側フラップ部５の縁端部中央を半円弧状の突起によって形成されている。そして、双方の側辺側フラップ部４の根元部分には、直線状の筋部１０を施してあり、端辺側胴板３Ａ，３Ｂの端辺側フラップ部５を折り込み、側辺側胴板２Ａ，２Ｂの側辺側フラップ部４の根元部分にある筋部１０を折り曲げ、端辺側フラップ部５の下部に簡単に潜り込ませるように差し込むことで、蓋側の開口部における両フラップ部４，５が閉止固定されるものである。
【００３０】
同様に、図７・図８には、本実施の形態における他の例が示されている。尚、本例において、前記した構成部分と同じ箇所には同じ符号を附することでその説明を省略する。
【００３１】
すなわち、本例では、一方の側辺側フラップ部４が内側に折り込まれ、この上に、双方の端辺側フラップ部５が重なった際に、一方の側辺側フラップ部４の縁端部の一部が端辺側フラップ部５相互間で露出され、他方の側辺側フラップ部４の先端側に矩形状の突起となって形成された係合片部７を、一方の側辺側フラップ部４の露出している縁端部下面側に潜り込ませることで、蓋側の開口部における両フラップ部４，５が閉止固定されるものとしてある。また、一方の側辺側フラップ部４への重なり部分側における双方の端辺側フラップ部５の角部は三角形状に切除され、且つ他方の側辺側フラップ部４中央の係合片部７から左右両側にかけて傾斜状に切除してある。
【００３２】
同様に、図９・図１０には、本実施の形態における他の例が示されている。尚、本例において、前記した構成部分と同じ箇所には同じ符号を附することでその説明を省略する。
【００３３】
すなわち、本例では、切り欠き部６は、一方の側辺側フラップ部４の縁端部における左右両側にクサビ状またはＶ字状等に切除された溝部によって形成されている。また、第１の係合片部７が、側辺側フラップ部４の切り欠き部６に対応して端辺側フラップ部５の角部を三角形状に切除し且つ切除上端側に半円弧状の突起を突設することによって形成されている。さらに、狭幅突片状の第２の係合片部７が、双方の端辺側フラップ部５の上に重ねられる他方の側辺側フラップ部４の縁端部中央に形成されている。第２の係合片部７の中央には筋部１２が形成され、該筋部１２の延長線上における縁端部には、Ｕ字切り欠き状の指掛け部１１を設けてある。そして、図９に示すように、最初に該他方の側辺側フラップ部４を折り曲げ、双方の端辺側フラップ部５を他方の側辺側フラップ部４上側に重なるように折り曲げてから、一方の側辺側フラップ部４を折り曲げて双方の端辺側フラップ部５の切り欠き部６に第１の係合片部７を噛合わせた後、指掛け部１１に指を掛けて第２の係合片部７を中央の筋部１２を介して若干山折り状に引き起こしながら、一方の側辺側フラップ部４の上面に折り重なることで、蓋側の開口部における両フラップ部４，５が閉止固定されるものとしてある。
【００３４】
同様に、図１１・図１２には、本実施の形態における他の例が示されている。尚、本例において、前記した構成部分と同じ箇所には同じ符号を附することでその説明を省略する。
【００３５】
すなわち、本例では、切り欠き部６は、双方の側辺側フラップ部４の縁端部における左右対向位置において、当該縁端部で開口幅が広くなるよう略Ｌ状に切除された溝部によって形成されている。また、係合片部７は、側辺側フラップ部４の切り欠き部６に対応して端辺側フラップ部５の縁端部中央に形成された突起によって形成され、双方の側辺側フラップ部４の下面側から切り欠き部６を介して側辺側フラップ部４の上面側に係合片部７を延出させることで、蓋側の開口部における両フラップ部４，５が閉止固定されるものとしてある。また、係合片部７における突起の左右両側は、円弧状に切除してある。
【００３６】
尚、本実施の形態における閉止構造は、梱包箱１の蓋側における開口部に設けられているが、これに限らず、梱包箱１の底側の開口部に、本考案に係る閉止構造を設けても良いことは勿論である。
【産業上の利用可能性】
【００３７】
本考案に係る梱包箱の開口部閉止構造は、梱包箱の閉蓋部を破断することなく容易に開放することできると共に、閉蓋部の再度の閉止固定を粘着テープやステープル等の封緘材を使用せずに容易且つ確実に行えるものとした梱包箱の開口部閉止構造として、種々の梱包箱に広く利用されるものである。
【図面の簡単な説明】
【００３８】
【図１】本考案を実施するための最良の形態における梱包箱を示し、（ａ）乃至（ｄ）は閉止前の状態から閉止後の状態までを順次示した斜視図である。
【図２】同じく梱包箱の展開図である。
【図３】本実施の形態における他例を示し、（ａ）乃至（ｆ）は閉止前の状態から閉止後の状態までを順次示した斜視図である。
【図４】同じく梱包箱の展開図である。
【図５】本実施の形態における更に他例を示し、（ａ）は閉止前の状態の斜視図、（ｂ）は閉止後の状態の斜視図である。
【図６】同じく梱包箱の展開図である。
【図７】本実施の形態における更に他例を示し、（ａ）は閉止前の状態の斜視図、（ｂ）は閉止後の状態の斜視図である。
【図８】同じく梱包箱の展開図である。
【図９】本実施の形態における更に他例を示し、（ａ）は閉止前の状態の斜視図、（ｂ）は閉止後の状態の斜視図である。
【図１０】同じく梱包箱の展開図である。
【図１１】本実施の形態における更に他例を示し、（ａ）は閉止前の状態の斜視図、（ｂ）は閉止後の状態の斜視図である。
【図１２】同じく梱包箱の展開図である。
【符号の説明】
【００３９】
１…梱包箱                        ２Ａ，２Ｂ…側辺側胴板
３Ａ，３Ｂ…端辺側胴板            ４…側辺側フラップ部
５…端辺側フラップ部              ６…切り欠き部
７…係合片部                     
８…糊代部
９…筋部                        １０…筋部
１１…指掛け部                    １２…筋部
【図１】
0003117276.tif 000003
【図２】
0003117276.tif 000004
【図３】
0003117276.tif 000005
【図４】
0003117276.tif 000006
【図５】
0003117276.tif 000007
【図６】
0003117276.tif 000008
【図７】
0003117276.tif 000009
【図８】
0003117276.tif 000010
【図９】
0003117276.tif 000011
【図１０】
0003117276.tif 000012
【図１１】
0003117276.tif 000013
【図１２】
0003117276.tif 000014